(57)【要約】      （修正有）【課題】磁路の方向を変更して相互干渉を防止できる変圧器モジュールの構造を提供する。【解決手段】変圧器モジュールの絶縁台体１は、両外側にそれぞれ収容空間１１を有し、内部に二つの相対するように設けられた内部収容室１２を有し、それぞれに収容孔２１を有する絶縁ベース台２が嵌入されており、各絶縁ベース台２の外部には複数のコイルが巻設されており、内部に収容孔２１を有し、絶縁ベース台２の収容孔２１および絶縁台体１の収容空間１１に二つのコア３がそれぞれ嵌入され、コア３の複数の内側伝導体３２を各絶縁ベース台２の収容孔内２１に嵌入でき、複数の内側伝導体３２の外側に設けられた複数の外側伝導体３３をそれぞれ絶縁台体１の両外側の収容空間１１内に嵌入でき、複数の内側伝導体３２および複数の外側伝導体３３は共にベース部３１の一側上に連設されている。【選択図】図２
0003114452.tif 000002
【実用新案登録請求の範囲】
【請求項１】
磁路の方向を変更して相互干渉を防止できる変圧器モジュールの構造であって、
前記変圧器モジュールは、絶縁台体、絶縁ベース台および相対するように設けられた二つのコアから構成されており、
前記絶縁台体は、両外側にそれぞれ収容空間を有し、内部に二つの相対するように設けられた内部収容室を有し、各内部収容室に二つの絶縁ベース台が嵌入されており、
前記各絶縁ベース台は、外部に複数のコイルが設けられ、内部に収容孔を有し、収容孔の両側にそれぞれ複数の接続端子が設けられており、
前記相対するように設けられた二つのコアは、前記各絶縁ベース台の収容孔内に嵌入できる複数の内側伝導体を有し、複数の内側伝導体の両外側にそれぞれ絶縁台体の両外側の収容空間内に嵌入できる複数の外側伝導体が設けられ、複数の内側伝導体および複数の外側伝導体は共にベース部の一側上に連設されていることを特徴とする変圧器モジュールの構造。
【請求項２】
前記相対するように設けられた二つのコア上に設けられている複数の内側伝導体および複数の外側伝導体は、隣合う内側伝導体および外側伝導体で単独の磁場回路が構成されていることを特徴とする請求項１記載の変圧器モジュールの構造。
【請求項３】
前記相対するように設けられた二つのコアには、絶縁ベース台と同じ数量の内側伝導体および絶縁台体両側の収容空間と同じ数量の外側伝導体が設けられていることを特徴とする請求項１記載の変圧器モジュールの構造。
【考案の詳細な説明】
【技術分野】
【０００１】
本考案は変圧器モジュールの構造に関し、特に磁路の方向を変更して相互干渉を防止できる変圧器モジュールの構造に関し、絶縁台体上に複数の単独の磁場回路を形成することによって相互干渉を防ぐ。
【背景技術】
【０００２】
各種電子製品において、変圧器は欠かすことのできない重要な部品の一つであり、変圧器の主な作用は電子回路における駆動電圧を変換することにあり、使用状況の違いによって種類と形式も異なる。例えばテレビ画面において作業電圧を昇圧する高圧変圧器や発電所からの電圧を降圧する電源変圧器などがあり、変圧器を使用する状況に応じて変圧器を異なる規格の設計にする必要がある。伝統的な変圧器は中空のベース台上に銅線を巻回してコイルを形成し、コイル上に絶縁層を被覆し、絶縁層上にさらに銅線を巻回し、これを繰り返して変圧器のメインコイルを形成し、二つのコアをベース台の中空部分に組合せる。ベース台の両側にはそれぞれ接続端子が設けられ、一側は入力端で他側は出力端であり、ベース台上に巻回されたコイルの数量によって変換される電圧量が決定される。従って、一つの変圧器ができる変換電圧は固定されており、変動させることはできず、コアを利用してベース台の内部と外部に電圧を流すので、干渉が発生したり、電圧が不安定になりやすい。
【０００３】
図４は従来技術による変圧器モジュールを示す立体分解図である。図５は従来技術による変圧器モジュールの組立方法を示す斜視図である。図６は従来技術による変圧器モジュールを示す斜視図である。従来技術による変圧器モジュールは第１のベース台Ａ、第２のベース台Ｂ、少なくとも一つの銅線Ｃおよび二つのコアＥから構成されている。
【０００４】
第１のベース台Ａは中空の管状柱体であり、管状柱体の両端部からは外に向かって底板Ａ１、Ａ２が延伸しており、底板Ａ１、Ａ２の側端面上には複数の接続端子Ａ３、Ａ４が設けられている。
【０００５】
第２のベース台Ｂは中空の管状柱体であり、管状柱体の両端部からは外部に向かって底板Ｂ１、Ｂ２が延伸しており、底板Ｂ１、Ｂ２の側端面上には複数の接続端子Ｂ３、Ｂ４が設けられており、第２のベース台Ｂは前述の第１のベース台Ａに緊密に並列されている。
【０００６】
少なくとも一つの銅線Ｃはそれぞれ第１のベース台Ａと第２のベース台Ｂの管状柱体上に巻回されており、銅線Ｃの端部は第１のベース台Ａと第２のベース台Ｂの複数の接続端子Ａ３、Ａ４、Ｂ３およびＢ４と接続されており、変圧器Ｄの一次側Ｄ２と二次側Ｄ１の電気信号接続端子を形成している。
【０００７】
二つのコアＥは相対するように組立てられ、コ型を呈しており、その中の一コアＥは平行に並ぶ二つの柱体Ｅ１、Ｅ２を有し、端辺Ｅ５に連設固定されており、もう一つのコアＥも二つの平行に並ぶ柱体Ｅ３、Ｅ４を有し、端辺Ｅ６に連設固定されている。前述の二つのコアＥは中央の二つの柱体Ｅ１、Ｅ２と二つの柱体Ｅ３、Ｅ４によってそれぞれ第１のベース台Ａと第２のベース台Ｂの中空部分を貫通しており、四つの柱体Ｅ１、Ｅ２、Ｅ３、Ｅ４および二つの端辺Ｅ５、Ｅ６は回路を形成しており、回路間の干渉や磁場の流通を起こしている。
【０００８】
上述の従来技術による変圧器モジュールはその構造設計において多くの欠点が存在する。例を挙げると、
１  二つのコアＥの二つの柱体Ｅ１、Ｅ２の端辺Ｅ５およびもう二つの柱体Ｅ３、Ｅ４の端辺Ｅ６は接続固定されているので、磁場は端辺Ｅ５、Ｅ６を通じて流通し、磁場は第１のベース台Ａと第２のベース台Ｂとの間を流通するので、相互干渉が起こる。
２  第１のベース台Ａと第２のベース台Ｂは並列して変圧器Ｄを形成しており、変圧器Ｄを複数並べて液晶モニターの駆動に使用するとき、隣合う各変圧器Ｄ間には相互干渉が発生し、変圧器Ｄの磁場回路は混乱して不安定になる。
３  第１のベース台Ａと第２のベース台Ｂは二つのコアＥを相対するように挿入接続した後、電圧の伝送が行われ、コアＥの柱体Ｅ１、Ｅ２、Ｅ３、Ｅ４は接続固定されているので磁場干渉が発生する。
４  第１のベース台Ａと第２のベース台Ｂは並列して変圧器Ｄを形成しており、その一次側Ｄ２から入力された電圧が二次側Ｄ１から出力されるとき、第１のベース台Ａの接続端子Ａ３と第２のベース台Ｂの接続端子Ｂ３から出力される電流値の高低が異なってしまう現象が発生する。
【０００９】
従って、上述の従来技術による変圧器の問題と欠点を如何にして解決するかが本業種に従事する業者の改善したい事項であった。
【００１０】
故に、本考案の考案者は上述の問題と欠点を鑑み、関連資料を収集し、長年この業界に従事する経験と、幾度もの試作と改良によって、ついに本考案の変圧器モジュールの構造を案出した。
【特許文献１】特開２００２−３７４６７６号公報
【考案の開示】
【考案が解決しようとする課題】
【００１１】
本考案の目的は、変圧器モジュールの絶縁台体は両外側にそれぞれ収容空間を有し、内部には二つの相対するように設けられた内部収容室を有し、それぞれに収容孔を有する絶縁ベース台が嵌入されており、絶縁ベース台の収容孔および絶縁台体の収容空間にそれぞれ相対するように二つのコアが嵌入され、コアの複数の内側伝導体を各絶縁ベース台の収容孔内に嵌入でき、複数の内側伝導体の外側に設けられた複数の外側伝導体をそれぞれ絶縁台体の両外側の収容空間内に嵌入でき、複数の内側伝導体および複数の外側伝導体は共にベース部の一側上に連設されており、絶縁台体上に複数の単独の磁場回路を形成することにより、各磁場回路が相互干渉を起こさない変圧器モジュールの構造を提供することにある。
【課題を解決するための手段】
【００１２】
本考案の請求項１に記載の変圧器モジュールの構造は、
磁路の方向を変更して相互干渉を防止できる変圧器モジュールの構造であって、
前記変圧器モジュールは、絶縁台体、絶縁ベース台および相対するように設けられた二つのコアなどから構成されており、
前記絶縁台体は、両外側にそれぞれ収容空間を有し、内部に二つの相対するように設けられた内部収容室を有し、各内部収容室に二つの絶縁ベース台が嵌入されており、
前記各絶縁ベース台は、外部に複数のコイルが設けられ、内部に収容孔を有し、収容孔の両側にそれぞれ複数の接続端子が設けられており、
前記相対するように設けられた二つのコアは、前記各絶縁ベース台の収容孔内に嵌入できる複数の内側伝導体を有し、複数の内側伝導体の両外側にそれぞれ絶縁台体の両外側の収容空間内に嵌入できる複数の外側伝導体が設けられ、複数の内側伝導体および複数の外側伝導体は共にベース部の一側上に連設されていることを特徴とする。
【００１３】
請求項２に記載の変圧器モジュールの構造は、請求項１の場合において、
相対するように設けられた二つのコア上に設けられている複数の内側伝導体および複数の外側伝導体は、隣合う内側伝導体および外側伝導体で単独の磁場回路が構成されていることを特徴とする。
【００１４】
請求項３の記載の変圧器モジュールの構造は、請求項１の場合において、
相対するように設けられた二つのコアには、絶縁ベース台と同じ数量の内側伝導体および絶縁台体両側の収容空間と同じ数量の外側伝導体が設けられていることを特徴とする。
【考案の効果】
【００１５】
１  絶縁台体上の両絶縁ベース台は別々にコア上の二つの隣合う内側伝導体および外側伝導体と単独の磁場回路を形成し、絶縁台体上に二つの別々の単独の磁場回路を形成することができ、両絶縁ベース台が生成する磁場回路は相互干渉が起きない。
２  複数の絶縁台体と複数の絶縁ベース台とによって変圧器が構成され、それぞれを複数並べて液晶モニターの駆動に使用するとき、各隣合う絶縁台体間には相互干渉が発生せず、変圧器の磁場回路を安定させることができる。
３  絶縁ベース台内に嵌入されたコアは二つの別々の磁場回路を形成し、磁場を固定した循環経路で流動させることができ、隣合う絶縁ベース台の磁場は別々に分かれており、相互干渉が起きない。
４  絶縁台体と二つの絶縁ベース体とによって変圧器が構成され、絶縁ベース台の一側の接続端子から入力された電圧が他側の各接続端子から出力されるとき、その電流値は非常に安定している。
【考案を実施するための最良の形態】
【００１６】
上述の目的および効果を達成するために、本考案において採用した技術およびその構造を詳細に示す実施形態を図に沿って説明する。
【００１７】
図１は本考案の一実施形態による変圧器モジュールを示す斜視図である。図２は本考案の一実施形態による変圧器モジュールを示す立体分解図である。図３は本考案の一実施形態による変圧器モジュールの組立方法を示す斜視図である。図から分かるように、本考案の一実施形態による変圧器モジュールは絶縁台体１、二つの絶縁ベース台２および二つの相対するように設けられたコア３などから構成されている。
【００１８】
絶縁台体１は両外側に収容空間１１を有し、内部には相対するように二つの内部収容室１２が設けられている。
【００１９】
二つの絶縁ベース台２の外部にはそれぞれ複数のコイルが巻回されており、内部には収容孔２１が設けられ、収容孔２１の両側にはそれぞれ複数の接続端子２２、２３が設けられている。
【００２０】
二つの相対するように設けられたコア３は導電材質からなり、ベース部３１を有し、ベース部３１の一側には複数の内側伝導体３２が設けられ、複数の内側伝導体３２の外側にはそれぞれ複数の外側伝導体３３が設けられている。
【００２１】
上述の各部材を組立てるときは、絶縁台体１の両内部収容室１２に絶縁ベース台２をそれぞれ嵌入し、絶縁台体１の両外側の収容空間１１および両絶縁ベース台２の収容孔２１にそれぞれ相対するようにコア３を嵌入し、両コア３は複数の内側伝導体３２がそれぞれ両絶縁ベース台２の収容孔２１内に嵌入され、複数の複数の外側伝導体３３が収容空間１１内に嵌入され、隣合う二つの内側伝導体３２と外側伝導体３３は絶縁ベース台２と合わせて単独の磁場回路を形成し、絶縁台体１上に二つの別々の磁場回路が形成され、変圧器モジュールが構成される。
【００２２】
上述の変圧器モジュールの絶縁台体１外部には絶縁シート４を被覆でき、絶縁ベース台２上に巻設されたコイルを保護し、コイルを空気や埃から隔離する。
【００２３】
絶縁台体１上には絶縁ベース台２、コア３の内側伝導体３２および外側伝導体３３によって磁場回路が形成され、コア３上には別々に二組の内側伝導体３２および外側伝導体３３が設けられ、二つの相対するように設けられたコア３の内側伝導体３２は絶縁ベース台２両側から収容孔２１内に嵌入され、内側伝導体３２と隣合う外側伝導体３３は絶縁台体１の収容空間１１内に嵌入され、絶縁台体１上に形成される二つの磁場回路の流通方向に相互干渉は起きない。複数の絶縁台体１を配列して使用するとき、各絶縁ベース台２が生成する回路は単独の磁場回路であり、お互いに干渉せず、安定的に電圧を伝送でき、絶縁ベース台２の一側の各接続端子２２から電圧を入力した後、他側の各接続端子２３から出力される電流値は非常に平均的で、安定している。
【００２４】
本考案の一実施形態による変圧器モジュールの構造は下記のような長所を有する。
【００２５】
１  絶縁台体１上の両絶縁ベース台２は別々にコア３上の二つの隣合う内側伝導体３２および外側伝導体３３と単独の磁場回路を形成し、絶縁台体１上に二つの別々の単独の磁場回路を形成することができ、両絶縁ベース台２が生成する磁場回路は相互干渉が起きない。
２  複数の絶縁台体１と複数の絶縁ベース台２とによって変圧器が構成され、それぞれを複数並べて液晶モニターの駆動に使用するとき、各隣合う絶縁台体１間には相互干渉が発生せず、変圧器の磁場回路を安定させることができる。
３  絶縁ベース台２内に嵌入されたコア３は二つの別々の磁場回路を形成し、磁場を固定した循環経路で流動させることができ、隣合う絶縁ベース台２の磁場は別々に分かれており、相互干渉が起きない。
４  絶縁台体１と二つの絶縁ベース体２とによって変圧器が構成され、絶縁ベース台２の一側の接続端子２２から入力された電圧が他側の各接続端子２３から出力されるとき、その電流値は非常に安定している。
【００２６】
しかし、上述の説明は本考案の好適な実施形態を示すものであり、本考案の請求範囲を限定するものではない。本明細書および図の簡易な修飾および同等効果の構造の変更はすべて本考案に含まれる。
【００２７】
以上のことから分かるように、本考案の一実施形態による変圧器モジュールの構造は確実にその効果と目的を達成できるものであり、実用性を備える優れた考案である。
【図面の簡単な説明】
【００２８】
【図１】本考案の一実施形態による変圧器モジュールを示す斜視図である。
【図２】本考案の一実施形態による変圧器モジュールを示す立体分解図である。
【図３】本考案の一実施形態による変圧器モジュールの組立方法を示す斜視図である。
【図４】従来技術による変圧器モジュールを示す立体分解図である。
【図５】従来技術による変圧器モジュールの組立方法を示す斜視図である。
【図６】従来技術による変圧器モジュールを示す斜視図である。
【符号の説明】
【００２９】
１    絶縁台体
１１  収容空間
１２  内部収容室
２    絶縁ベース台
２１  収容孔
２２、２３  導電端子
３    コア
３１  ベース部
３２  内部伝導体
３３  外部伝導体
４    絶縁シート
【図１】
0003114452.tif 000003
【図２】
0003114452.tif 000004
【図３】
0003114452.tif 000005
【図４】
0003114452.tif 000006
【図５】
0003114452.tif 000007
【図６】
0003114452.tif 000008